(57)【要約】【課題】移動手摺が消毒されていることを利用者が容易に確認することができるマンコンベヤの移動手摺消毒装置を得る。【解決手段】移動手摺５３の折り返し部分５３１の表面であって乗場１から目視可能な部分に対して消毒液６４１を噴きかける消毒液ノズル６４４を有した消毒液噴出装置６４と、消毒液６４１が付着した移動手摺５３の部分に対して空気６５１を噴きかける乾燥装置６５と、消毒液ノズル６４４から噴出する消毒液６４１および消毒液６４１が付着した移動手摺５３の部分を照らす照明装置６６と、乗場１にいる利用者を検出する利用者検出装置６７と、消毒液噴出装置６４および乾燥装置６５のそれぞれの駆動を制御する制御装置６８とを備え、制御装置６８は、利用者検出装置６７が利用者を検出した場合に、所定の時間だけ、消毒液噴出装置６４および乾燥装置６５を駆動させる。【選択図】図２
2013006645.tif 000002
【特許請求の範囲】
【請求項１】
移動手摺の折り返し部分の表面であって乗場から目視可能な部分に対して消毒液を噴きかける消毒液ノズルを有した消毒液噴出装置と、
前記消毒液が付着した前記移動手摺の部分に対して気体を噴きかける乾燥装置と
を備えたことを特徴とするマンコンベヤの移動手摺消毒装置。
【請求項２】
前記乗場に入る利用者を検出する利用者検出装置と、
前記消毒液噴出装置および前記乾燥装置のそれぞれの駆動を制御する制御装置と
をさらに備え、
前記制御装置は、前記利用者検出装置が前記利用者を検出した場合に、所定の時間だけ、前記消毒液噴出装置および前記乾燥装置を駆動させることを特徴とする請求項１に記載のマンコンベヤの移動手摺消毒装置。
【請求項３】
前記消毒液ノズルから噴出する前記消毒液および前記消毒液が付着した前記移動手摺の部分を照らす照明装置をさらに備えたことを特徴とする請求項１または請求項２に記載のマンコンベヤの移動手摺消毒装置。
【請求項４】
前記照明装置は、前記移動手摺よりも前記乗場の幅方向外側に配置された光源を有していることを特徴とする請求項３に記載のマンコンベヤの移動手摺消毒装置。
【請求項５】
前記消毒液ノズル、前記消毒液が噴きかけられる前記移動手摺の部分および前記気体が噴きかけられる前記移動手摺の部分を覆う透明なカバーをさらに備えたことを特徴とする請求項１ないし請求項４の何れか１項に記載のマンコンベヤの移動手摺消毒装置。
【請求項６】
移動手摺の折り返し部分の表面であって乗場から目視可能な部分に対して消毒液を噴きかける消毒液噴出装置と、前記消毒液が付着した前記移動手摺の部分に対して気体を噴きかける乾燥装置と、前記乗場に入る利用者を検出する利用者検出装置と、前記消毒液噴出装置および前記乾燥装置のそれぞれの駆動を制御する制御装置とを備えたことを特徴とするマンコンベヤの移動手摺消毒装置の制御方法であって、
前記利用者検出装置が前記利用者を検出する利用者検出工程と、
前記利用者検出工程の後に、所定の時間だけ、前記制御装置が前記消毒液噴出装置および前記乾燥装置のそれぞれを駆動させる移動手摺消毒乾燥工程と
を備えたことを特徴とするマンコンベヤの移動手摺消毒装置の制御方法。
【発明の詳細な説明】
【技術分野】
【０００１】
この発明は、循環移動する移動手摺を消毒するマンコンベヤの移動手摺消毒装置およびその制御方法に関する。
【背景技術】
【０００２】
従来、移動手摺の帰路側の部分の表面に下方から接触する弾性の洗浄ロールと、洗浄ロールに洗浄液を供給する洗浄液供給装置とを備えたエスカレータの移動手摺洗浄装置が知られている。洗浄ロールが移動手摺に接触した状態で移動手摺が循環移動することにより、移動手摺の表面が洗浄される（例えば、特許文献１参照）。
【先行技術文献】
【特許文献】
【０００３】
【特許文献１】実開平５−３００６５号公報
【発明の概要】
【発明が解決しようとする課題】
【０００４】
しかしながら、洗浄ロールが移動手摺の帰路側の部分の表面に下方から接触しているので、エスカレータを利用するために乗場にいる利用者は、移動手摺が洗浄されている様子を目視確認することができない。したがって、利用者は、移動手摺が消毒されていることを確認することができないという問題点があった。
【０００５】
この発明は、移動手摺が消毒されていることを利用者が容易に確認することができるマンコンベヤの移動手摺消毒装置およびその制御方法を提供するものである。
【課題を解決するための手段】
【０００６】
この発明に係るマンコンベヤの移動手摺消毒装置は、移動手摺の折り返し部分の表面であって乗場から目視可能な部分に対して消毒液を噴きかける消毒液ノズルを有した消毒液噴出装置と、前記消毒液が付着した前記移動手摺の部分に対して気体を噴きかける乾燥装置とを備えたことを特徴とするマンコンベヤの移動手摺消毒装置。
【０００７】
この発明に係るマンコンベヤの移動手摺消毒装置の制御方法は、移動手摺の折り返し部分の表面であって乗場から目視可能な部分に対して消毒液を噴きかける消毒液噴出装置と、前記消毒液が付着した前記移動手摺の部分に対して気体を噴きかける乾燥装置と、前記乗場に入る利用者を検出する利用者検出装置と、前記消毒液噴出装置および前記乾燥装置のそれぞれの駆動を制御する制御装置とを備えたことを特徴とするマンコンベヤの移動手摺消毒装置の制御方法であって、前記利用者検出装置が前記利用者を検出する利用者検出工程と、前記利用者検出工程の後に、所定の時間だけ、前記制御装置が前記消毒液噴出装置および前記乾燥装置のそれぞれを駆動させる移動手摺消毒乾燥工程とを備えている。
【発明の効果】
【０００８】
この発明に係るマンコンベヤの移動手摺消毒装置によれば、移動手摺の折り返し部分の表面であって乗場から目視可能な部分に対して消毒液を噴きかける消毒液ノズルを有した消毒液噴出装置と、消毒液が付着した移動手摺の部分に対して気体を噴きかける乾燥装置とを備えているので、マンコンベヤを利用するために乗場にいる利用者は、消毒液が移動手摺に噴きかけられることを目視確認することができる。これにより、移動手摺が消毒されていることを利用者が容易に確認することができる。
【０００９】
この発明に係るマンコンベヤの移動手摺消毒装置の制御方法によれば、乗場に入る利用者を検出する利用者検出装置が利用者を検出する利用者検出工程と、利用者検出工程の後に、所定の時間だけ、移動手摺の折り返し部分の表面であって乗場から目視可能な部分に対して消毒液を噴きかける消毒液噴出装置および消毒液が付着した移動手摺の部分に対して気体を噴きかける乾燥装置のそれぞれを制御装置が駆動させる移動手摺消毒乾燥工程とを備えているので、マンコンベヤを利用するために乗場にいる利用者は、消毒液が移動手摺に噴きかけられることを目視確認することができる。これにより、移動手摺が消毒されていることを利用者が容易に確認することができる。
【図面の簡単な説明】
【００１０】
【図１】この発明の実施の形態１に係るエスカレータを示す側面図である。
【図２】図１のエスカレータの要部を示す正面図である。
【図３】図２の矢印ＩＩＩの方向から視たエスカレータの要部を示す側面図である。
【図４】図２のＩＶ−ＩＶ線に沿った矢視断面図である。
【図５】図２のＶ−Ｖ線に沿った矢視断面図である。
【図６】図２の移動手摺消毒装置を示すブロック図である。
【発明を実施するための形態】
【００１１】
実施の形態１．
図１はこの発明の実施の形態１に係るエスカレータを示す側面図である。図において、エスカレータ（マンコンベヤ）は、下階にある乗場１と上階にある降場２とに渡って設けられた主枠３と、主枠３の内側に設けられ、無端状に連結された複数の踏段４と、主枠３に立てられた一対の欄干５と、乗場１に設けられた移動手摺消毒装置（マンコンベヤの移動手摺消毒装置）６とを備えている。
【００１２】
欄干５は、乗場１と降場２とに渡って配置されている。欄干５は、主枠３に沿って延びた内側板５１と、内側板５１の周縁部に設けられたガイドレール５２と、ガイドレール５２に案内される無端状の移動手摺５３と、内側板５１の下部に設けられたデッキボード５４とを有している。
【００１３】
踏段４および移動手摺５３は、図示しない駆動装置の駆動により、互いに同期して循環移動するようになっている。
【００１４】
ガイドレール５２は、主枠３の長さ方向中間部に位置する傾斜部５２１と、傾斜部５２１の両端部に接続された一対の水平部５２２と、各水平部５２２に接続された折り返し部５２３とを有している。折り返し部５２３は、半円を描くように形成されている。
【００１５】
移動手摺消毒装置６は、乗場１の両脇に１つずつ配置されている。図２は図１のエスカレータの要部を示す正面図、図３は図２の矢印ＩＩＩの方向から視たエスカレータの要部を示す側面図である。図において、各移動手摺消毒装置６は、移動手摺５３に対向するように配置されている。
【００１６】
移動手摺消毒装置６は、乗場１に載せられた基台６１と、基台６１の上部に設けられた透明のカバー６２と、基台６１に立てられた支柱６３と、移動手摺５３に消毒液６４１を噴きつける消毒液噴出装置６４と、消毒液６４１が付着した移動手摺５３の部分を乾燥させる乾燥装置６５と、消毒液噴出装置６４から噴出する消毒液６４１および消毒液６４１が付着した移動手摺５３の部分を照らす複数の照明装置６６と、乗場１に入る利用者を検出する利用者検出装置６７と、消毒液噴出装置６４、乾燥装置６５および照明装置６６のそれぞれを制御する制御装置６８とを備えている。
【００１７】
支柱６３は、カバー６２の内側に配置されている。また、支柱６３は、移動手摺５３よりも乗場１の幅方向外側に配置されている。つまり、支柱６３は、乗場１の幅方向について移動手摺５３よりも乗場１から離れて配置されている。
【００１８】
消毒液噴出装置６４は、消毒液６４１を蓄える消毒液タンク６４２と、消毒液タンク６４２に蓄えられた消毒液６４１を汲み上げる消毒液ポンプ６４３と、消毒液ポンプ６４３により汲み上げられた消毒液６４１を移動手摺５３に噴きかける消毒液ノズル６４４とを有している。消毒液ポンプ６４３により汲み上げられた消毒液６４１は、支柱６３の内側を通って消毒液ノズル６４４に送られる。消毒液６４１としては、例えば、消毒用エタノール、消毒用イソプロパノール等が挙げられる。消毒液タンク６４２および消毒液ポンプ６４３は、基台６１に収納されている。
【００１９】
消毒液ノズル６４４は、消毒液ノズル６４４から噴出する消毒液６４１が、乗場１側の折り返し部５２３の曲率中心を含む水平面と交差する移動手摺５３の表面を含んだ移動手摺５３の部分に噴きかけられるように配置されている。つまり、消毒液ノズル６４４は、消毒液ノズル６４４から噴出する消毒液６４１が、折り返し部５２３に案内される移動手摺５３の折り返し部分５３１の表面であって上下方向中央部分に噴きかけられるように配置されている。これにより、折り返し部分５３１の表面であって乗場１から目視可能な部分に対して消毒液６４１が噴きかけられる。
【００２０】
乾燥装置６５は、空気（気体）６５１を吸引し、吸引した空気６５１を送り出すエアーポンプ６５２と、エアーポンプ６５２から送り出された空気６５１を移動手摺５３に噴きかけるエアーノズル６５３とを有している。エアーポンプ６５２により送り出された空気６５１は、支柱６３の内側を通ってエアーノズル６５３に送られる。エアーポンプ６５２は、基台６１に収納されている。
【００２１】
エアーノズル６５３は、エアーノズル６５３から噴出する空気６５１が、消毒液ノズル６４４から消毒液６４１が噴きかけられる移動手摺５３の部分よりも移動手摺５３の移動方向にずれた部分に噴きかけられるように配置されている。つまり、エアーノズル６５３は、消毒液ノズル６４４により消毒液６４１が噴きかけられた移動手摺５３の部分が、移動手摺５３の循環移動によって、エアーポンプ６５２による空気６５１が噴きかけられるように配置されている。
【００２２】
図４は図２のＩＶ−ＩＶ線に沿った矢視断面図である。エアーノズル６５３から噴出する空気６５１は、移動手摺５３の表面の幅方向全領域に渡って噴きかけられるようになっている。これにより、移動手摺５３の表面の幅方向全領域に付着した消毒液６４１が気化し、移動手摺５３が乾燥する。
【００２３】
図２に示すように、照明装置６６は、支柱６３に取り付けられている。図５は図２のＶ−Ｖ線に沿った矢視断面図である。照明装置６６が有する光源６６１は、移動手摺５３よりも乗場１（図２）の幅方向外側に配置されている。つまり、光源６６１は、乗場１の幅方向について移動手摺５３よりも乗場１から離れて配置されている。これにより、消毒液６４１に反射した光が、乗場１にいる利用者に向かう。図３に示すように、照明装置６６が照らす移動手摺５３の部分は、消毒液６４１が噴きかけられる部分から空気６５１が噴きかけられる部分までの移動手摺５３の部分となっている。
【００２４】
図２および図３に示すように、利用者検出装置６７は、基台６１に取り付けられている。利用者検出装置６７が利用者を検出する利用者検出領域は、エスカレータを利用しようとする利用者が乗場１に近づくことを検出する領域である。つまり、利用者検出装置６７が利用者を検出する利用者検出領域は、乗場１に隣り合う領域であって、エスカレータを利用しようとする利用者が乗場１に進入することを予測する領域である。
【００２５】
図６は図２の移動手摺消毒装置６を示すブロック図である。制御装置６８には、利用者検出装置６７の検出信号が入力されるようになっている。制御装置６８は、利用者検出装置６７が利用者を検出する場合に、所定の時間、消毒液噴出装置６４および乾燥装置６５のそれぞれを駆動させ、さらに、照明装置６６に点灯させる。消毒液噴出装置６４および乾燥装置６５のそれぞれが駆動し、照明装置６６が点灯する所定の時間とは、例えば、利用者が利用者検出装置６７により検出されてから、利用者が踏段４に乗り込むまでの時間が挙げられる。これにより、利用者が把持する移動手摺５３の部分を消毒することができ、また、利用者が利用者検出装置６７に検出される前や利用者が踏段４に乗り込んだ後に移動手摺５３がさらに消毒されることを防止することができる。乾燥装置６５の駆動は、消毒液ノズル６４４から最後に噴射された消毒液６４１が付着した移動手摺５３の部分がエアーノズル６５３に対向する位置に到達した後に停止される。
【００２６】
図２および図３に示すように、カバー６２は、移動手摺５３の折り返し部分５３１を挟むように内側板５１に平行に配置され基台６１に立てられた側板６２１と、各側板６２１に渡って設けられ側板６２１よりも乗場１の奥行方向に移動手摺５３から離れて基台６１に立てられた正面板６２２と、各側板６２１の上部に渡って設けられた上板６２３とを有している。カバー６２は、消毒液ノズル６４４、消毒液６４１が噴きかけられる移動手摺５３の部分、エアーノズル６５３、空気６５１が噴きかけられる移動手摺５３の部分および照明装置６６を覆っている。
【００２７】
エスカレータの運転が開始されると、踏段４および移動手摺５３の循環移動が開始される。移動手摺５３は、乗場１側であってデッキボード５４側の移動手摺５３の部分が、ガイドレール５２の折り返し部５２３に案内されながら上方に移動し、その後、降場２に向かうように、循環移動する。乗場１に立つ乗客は、乗場１から踏段４に乗るとともに移動手摺５３を把持する。その後、踏段４に立つ乗客は、降場２に近づくと、踏段４から降場２に移動するとともに、移動手摺５３から手を離す。
【００２８】
次に、移動手摺消毒装置６の動作について説明する。まず、利用者が乗場１に近づくと、利用者検出装置６７が利用者を検出する（利用者検出工程）。その後、制御装置６８は、消毒液噴出装置６４および乾燥装置６５のそれぞれを駆動させ、さらに、照明装置６６に点灯させる。
【００２９】
消毒液ノズル６４４から噴出された消毒液６４１は、移動手摺５３の折り返し部分５３１の表面であって上下方向中央部分に噴きかけられる（移動手摺消毒工程）。消毒液６４１が付着した移動手摺５３の部分は、ガイドレール５２の折り返し部５２３に案内されて移動する。このとき、照明装置６６は、消毒液ノズル６４４から噴出する消毒液６４１および消毒液６４１が付着した移動手摺５３の部分を照らす（照明工程）。これにより、乗場１にいる利用者は、移動手摺５３が消毒されていることを容易に確認することができる。
【００３０】
消毒液６４１が付着した移動手摺５３の部分がエアーノズル６５３に対向する位置に到達すると、エアーノズル６５３から噴出する空気６５１が、消毒液６４１が付着した移動手摺５３の部分に噴きかけられる（移動手摺乾燥工程）。これにより、移動手摺５３に付着している消毒液６４１が気化し、移動手摺５３が乾燥する。その結果、利用者が移動手摺５３を把持しても、利用者の手に消毒液６４１が付着することを防止することができる。移動手摺消毒工程および移動手摺乾燥工程から移動手摺消毒乾燥工程が構成される。
【００３１】
消毒液噴出装置６４および乾燥装置６５のそれぞれを駆動および照明装置６６の点灯の開始から所定の時間が経過すると、制御装置６８は、消毒液噴出装置６４および乾燥装置６５のそれぞれの駆動を停止し、さらに、照明装置６６を消灯する。
【００３２】
以上説明したように、この発明の実施の形態１に係る移動手摺消毒装置６によれば、移動手摺５３の折り返し部分５３１の表面であって乗場１から目視可能な部分に対して消毒液６４１を噴きかける消毒液ノズル６４４を有した消毒液噴出装置６４と、消毒液６４１が付着した移動手摺５３の部分に対して空気６５１を噴きかける乾燥装置６５とを備えているので、エスカレータを利用するために乗場１にいる利用者は、消毒液６４１が移動手摺５３に噴きかけられることを目視確認することができる。これにより、移動手摺５３が消毒されていることを利用者が容易に確認することができる。その結果、利用者は、移動手摺５３に病原体が付着していることを心配することなく、移動手摺５３を把持することができる。
【００３３】
また、移動手摺消毒装置６は、乗場１に入る利用者を検出する利用者検出装置６７と、消毒液噴出装置６４および乾燥装置６５のそれぞれの駆動を制御する制御装置６８とを備え、制御装置６８は、利用者検出装置６７が利用者を検出した場合に、所定の時間だけ、消毒液噴出装置６４および乾燥装置６５を駆動させるので、消毒液６４１の使用量および送り出される空気の量を必要最小限に抑えることができる。
【００３４】
また、移動手摺消毒装置６は、消毒液ノズル６４４から噴出する消毒液６４１および消毒液６４１が付着した移動手摺５３の部分を照らす照明装置６６を備えているので、利用者は、消毒液ノズル６４４から噴射する消毒液６４１および消毒液６４１が付着した移動手摺５３の部分をより容易に目視確認することができる。したがって、利用者は、移動手摺５３が消毒されていることをより容易に確認することができる。
【００３５】
また、照明装置６６は、移動手摺５３よりも乗場１の幅方向外側に配置された光源６６１を有しているので、乗場１にいる利用者は、消毒液ノズル６４４から噴射する消毒液６４１および消毒液６４１が付着した移動手摺５３の部分をより容易に目視確認することができる。したがって、乗場１にいる利用者は、移動手摺５３が消毒されていることをより容易に確認することができる。
【００３６】
また、移動手摺消毒装置６は、消毒液ノズル６４４、消毒液６４１が噴きかけられる移動手摺５３の部分および空気６５１が噴きかけられる移動手摺５３の部分を覆う透明なカバー６２を備えているので、消毒液６４１がカバー６２の外側へ飛散することを防止することができる。これにより、乗場１などに消毒液６４１が飛散することが防止される。また、乗場１にいる利用者に、消毒液ノズル６４４やエアーノズル６５３が触れられることを防止することができる。
【００３７】
また、この発明の実施の形態１に係る移動手摺消毒装置６の制御方法によれば、乗場１に入る利用者を検出する利用者検出装置６７が利用者を検出する利用者検出工程と、利用者検出工程の後に、所定の時間だけ、移動手摺５３の折り返し部分の表面であって乗場１から目視可能な部分に対して消毒液６４１を噴きかける消毒液噴出装置６４および消毒液６４１が付着した移動手摺５３の部分に対して空気６５１を噴きかける乾燥装置６５のそれぞれを制御装置６８が駆動させる移動手摺消毒乾燥工程とを備えているので、エスカレータを利用するために乗場１にいる利用者は、消毒液６４１が移動手摺５３に噴きかけられることを目視確認することができる。これにより、移動手摺５３が消毒されていることを利用者が容易に確認することができる。
【００３８】
なお、上記実施の形態１では、マンコンベヤとして、エスカレータを例に説明したが、動く歩道であってもよい。
【００３９】
また、上記実施の形態１では、下階に乗場１が設けられ、上階に降場２が設けられたエスカレータについて説明したが、下階に降場２が設けられ、上階に乗場１が設けられたエスカレータであってもよい。
【００４０】
また、上記実施の形態１では、消毒液ノズル６４４から噴出する消毒液６４１が、乗場１側の折り返し部５２３の曲率中心を含む水平面と交差する移動手摺５３の表面を含んだ移動手摺５３の部分に噴きかけられるように消毒液ノズル６４４が配置された構成について説明したが、これに限らず、折り返し部分５３１の表面であって乗場１から目視可能な部分に対して消毒液６４１が噴きかけられるように消毒液ノズル６４４が配置された構成であればよい。
【符号の説明】
【００４１】
１  乗場、２  降場、３  主枠、４  踏段、５  欄干、６  移動手摺消毒装置（マンコンベヤの移動手摺消毒装置）、５１  内側板、５２  ガイドレール、５３  移動手摺、６４  デッキボード、６１  基台、６２  カバー、６３  支柱、６４  消毒液噴出装置、６５  乾燥装置、６６  照明装置、６７  利用者検出装置、６８  制御装置、５２１  傾斜部、５２２  水平部、５２３  折り返し部、５３１  折り返し部分、６２１  側板、６２２  正面板、６２３  上板、６４１  消毒液、６４２  消毒液タンク、６４３  消毒液ポンプ、６４４  消毒液ノズル、６５１  空気（気体）、６５２  エアーポンプ、６５３  エアーノズル、６６１  光源。
【図１】
2013006645.tif 000003
【図２】
2013006645.tif 000004
【図３】
2013006645.tif 000005
【図４】
2013006645.tif 000006
【図５】
2013006645.tif 000007
【図６】
2013006645.tif 000008